(57)【特許請求の範囲】
【請求項１】
液体を収容し作業者に背負われるタンクと、
このタンクに取り付けられ、前記タンク内に収容されていた前記液体を圧送するポンプと、
前記ポンプが有する前記液体を外部へ圧送するための吐出口を前記タンクの一部に固定する吐出口固定機構とを具備してなり、
前記タンクが、前記液体を貯留する液体貯留部と、前記タンクの内面同士を隙間無く接合することにより前記液体の通過を禁止するシール部とを有するものであり、
前記吐出口固定機構が、前記シール部に前記吐出口を固定するものであることを特徴とする背負式噴霧機。
【請求項２】
前記吐出口固定機構が、前記タンクに取り付けられるための第一の固定部と、圧送された前記液体を噴霧すべく外部へ送出するための噴霧用ホースを固定するための第二の固定部とを有し、
これら第一の固定部と第二の固定部とが隣接して設けられている請求項１記載の背負式噴霧機。
【請求項３】
前記タンクが前記ポンプを収容すべく正面側を凹ませて形成したポンプ収容部を有するものであり、
前記吐出口固定機構が、前記ポンプ収容部から前記シール部を貫通して前記タンクの背面から前記吐出口を露出させている請求項１又は２記載の背負式噴霧機。
【請求項４】
前記ポンプ収容部が、前記吐出口以外の前記ポンプの背面及び両側面を覆うように形成されており、
前記タンクが、正面側略全域を使用者の背中に接し得る別体をなした背当て板により被覆されている請求項３記載の背負式噴霧機。
【請求項５】
前記吐出口固定機構が、前記シール部を前記タンクを構成する素材の厚み方向に挟み込みながら前記ポンプを固定する請求項１、２、３又は４記載の背負式噴霧機。
【請求項６】
前記シール部が平断面視湾曲形状をなすものであり、
前記シール部が前記ポンプの背面側及び両側面を覆う形状をなす請求項１、２、３、４又は５記載の背負式噴霧機。
【発明の詳細な説明】
【技術分野】
【０００１】
本発明は主に農業用途に利用される背負式噴霧機に関するものである。
【背景技術】
【０００２】
従来、農作業における薬剤散布の際、作業者が容易に作業を行い得る噴霧機の一つとして、背負式噴霧機が提案されている(例えば、特許文献１参照)。この背負式噴霧機は、散布しようとする薬剤を水に溶解させた液体を貯留したタンクにポンプを取り付けたもので、使用者はタンクを背負いながら薬剤散布を行うことができる。このような背負式噴霧機は、使用者が把持して取り扱う散布用のノズルからタンクまでのホースの取り回しが障害物に干渉され難く、使用者が快適に薬剤散布の作業を行い得るという利点を有する。また上記特許文献１に記載のものはポンプを駆動する駆動力を当該ポンプに取り付けられたハンドルの往復動作から得るという、所謂人力式のものである。
【先行技術文献】
【特許文献】
【０００３】
【特許文献１】特開２０１３−０３４４５３号公報
【発明の概要】
【発明が解決しようとする課題】
【０００４】
しかしながら、上記特許文献１に記載の背負式噴霧機をはじめとした従来の背負式噴霧機では、ポンプの作動のみならず、使用者の噴霧作業をはじめとしたポンプに外力が作用しても安定してタンクに固定された状態を維持しなくてはならない。すなわちポンプをタンクに取り付けるにあたり、タンクの種々な箇所に加工を施し、且つポンプ側にも多くの箇所に格別の加工を施さなければならない。そうなると、ポンプやタンクの構造が複雑となり、部品点数の不要な増大を招来しているというのが現状である。
【０００５】
本発明は、このような不具合に着目したものであり、簡素な構成でありながらポンプをタンクに確実に固定し得る背負式噴霧機を提供することを目的としている。
【課題を解決するための手段】
【０００６】
本発明は、このような目的を達成するために、次のような手段を講じたものである。
【０００７】
すなわち本発明に係る背負式噴霧機は液体を収容し作業者に背負われるタンクと、このタンクに取り付けられ、前記タンク内に収容されていた前記液体を圧送するポンプと、前記ポンプが有する前記液体を外部へ圧送するための吐出口を前記タンクの一部に固定する吐出口固定機構とを具備することを特徴とする。
【０００８】
このようなものであれば、ポンプにおいて外力が働きやすく、且つ高圧の液体を圧送させるために構造上強度が高く構成された吐出口をタンクに固定することにより、吐出口近傍に加わるポンプへの外力をタンクへも分散させることができる。そのため、従来のように吐出口以外の箇所でポンプをタンクに固定する態様のものに比べて安定してポンプをタンクに固定することができる。その結果本発明によれば、簡素な構成でありながらポンプをタンクに確実に固定し得る背負式噴霧機を提供することが可能となる。
【０００９】
そして、ポンプの組み付け強度をより高くしつつポンプへの外力が当該組み付けに影響してしまうことを有効に回避するためには、吐出口固定機構を、タンクに取り付けられるための第一の固定部と、圧送された液体を噴霧すべく外部へ送出するための噴霧用ホースを固定するための第二の固定部とを有するものとし、これら第一の固定部と第二の固定部とが隣接して設けおくことが望ましい。
【００１０】
また、ポンプを安定して支持し得るタンク側の構成の具体的な態様として、タンクが、液体を貯留する液体貯留部と、タンクの内面同士を隙間無く接合することにより液体の通過を禁止するシール部とを有するものであり、吐出口固定機構が、シール部に吐出口を固定するものである。
【００１１】
そして、ポンプを外方からの衝撃から有効に保護するための構成としては、タンクがポンプを収容すべく正面側を凹ませて形成したポンプ収容部を有するものであり、吐出口固定機構が、ポンプ収容部からシール部を貫通してタンクの背面から吐出口を露出させている態様を挙げることができる。
【００１２】
特に有効にポンプを保護し得る具体的態様としては、ポンプ収容部が、吐出口以外のポンプの背面及び両側面を覆うように形成されており、タンクが、正面側略全域を別体をなす緩衝シートにより被覆されている態様が挙げられる。
【００１３】
さらに、ポンプをタンクに強固に固定し得るようにするためには、吐出口固定機構を、シール部をタンクを構成する素材の厚み方向に挟み込みながらポンプを固定するようにすることが望ましい。
【００１４】
また、ポンプを強固に固定しつつ強度を高く構成するためには、シール部が平断面視湾曲形状をなすものとし、シール部がポンプの背面側及び両側面を覆う形状をなしたものとすることが望ましい。
【発明の効果】
【００１５】
本発明によれば、簡素な構成でありながらポンプをタンクに確実に固定し得る背負式噴霧機を提供することができる。
【図面の簡単な説明】
【００１６】
【図１】本発明の一実施形態に係る斜視図。
【図２】同背面図。
【図３】同側面図。
【図４】同底面図。
【図５】同分解斜視図。
【図６】図２に係るＩ−Ｉ線断面図。
【図７】図３に係るＩＩ−ＩＩ線断面図。
【発明を実施するための形態】
【００１７】
以下、本発明の一実施の形態について図面を参照して説明する。
【００１８】
本実施形態に係る背負式噴霧機Ａは、図１〜図７に示すように、例えば農作業における薬剤散布の際、作業者がタンク１をポンプ２ごと背負いながら容易に作業を行い得るものである。なお同図では説明の便宜上、使用者が背負式噴霧機Ａを背負うためにタンク１に掛け設けられるショルダーベルトやウエストベルト、そしてポンプ２に接続された噴霧用ホース５の先端に取り付けられる噴霧ノズルの図示を省略している。
【００１９】
ここで、本実施形態に係る背負式噴霧機Ａは、液体を収容し作業者に背負われるタンク１と、このタンク１に取り付けられ、タンク１内に収容されていた液体を圧送するポンプ２と、ポンプ２が有する液体を外部へ圧送するための吐出口６４ｂをタンク１の一部に固定する吐出口固定機構Ｘとを具備することを特徴とする。以下、この背負式噴霧機Ａの具体的な構成について説明する。
【００２０】
背負式噴霧機Ａは、上記タンク１及びポンプ２に加え、タンク１の正面側に取り付けられる背当て板３と、ポンプ２を駆動するために使用者が操作するためのハンドル４と、ポンプ２の吐出口６４ｂに接続される噴霧用ホース５と、この噴霧用ホース５の先端に取り付けられる図示しない噴霧ノズルを有している。
【００２１】
背当て板３は、タンク１の正面側の略前面を覆う形状に設定された、可撓性及びクッション性を有する例えばウレタン等の素材を主体としてなる。この背当て板３は、タンク１に取り付けられる板状或いはシート状をなす背当て本体３０と、この背当て本体３０の上側を膨出させて使用者の肩胛骨及びその周囲に快適に接し得るように形成された上クッション３１と、背当て本体３０の下側を膨出させて使用者の腰部に快適に接し得るように形成された下クッション３２と、背当て本体３０の周囲において複数形成された図示しないボルト又はビスを挿通させてタンク１側に固定するためのねじ挿通孔３３とを有している。
【００２２】
タンク１は、本実施形態では例えばブロー成型等によって成型された一体成形品の内部に液体を貯留し得るように構成されたものである。またタンク１は、底面側を平坦に構成することにより縦向けに自立し得るようにし、背面側には使用者が把持し得るように凹ませて形成した把手１７が形成されるとともに、上端近傍及び両側面下側において図示しないショルダーベルトやウエストベルトを取り付けるためのベルト取付部１８が設けられている。このタンク１は、その前面側に幅方向中央を下端から上端近傍まで凹ませ内側面１４ａにポンプ２を組み付け収容し得るように形成したポンプ収容部１４と、このポンプ収容部１４の周囲の前面側において計6箇所において図示しない市販の六角形状をなすナットを嵌め込み背当て板３を固定するための背当て取付部１５とを有している。このタンク１は、液体を貯留したときに背負式噴霧機Ａ全体の重心が高くなるように上側のみに液体を貯留し得るように構成されたものである。
【００２３】
更にタンク１は、上側において液体を貯留する液体貯留部１１と、下側において底面を平坦に構成した空洞形成部１３と、これら液体貯留部１１及び空洞形成部１３との間において樹脂素材を隙間無く溶着することにより、上下間の液体の流通を完全に遮断したシール部１２とを有している。
【００２４】
液体貯留部１１は、例えば１０リットル程度といった使用者が通常背負い得る量の液体を貯留できるよう適宜サイズ及び形状が設定されたものであり、上端には上蓋１６を取り付け得る、液体の導入及び廃棄をおこなうための液導入穴１１ａと、内部の液体をポンプ２側へ導くために形成された液取出穴１１ｂとを有している。
【００２５】
空洞形成部１３は、タンク１の下部両側に亘って液体を貯留しない空洞を形成したものであり、底面を平坦に構成した接地面１３ｂと、左右どちら側からでもハンドル４を挿通させて回転可能に支持するためのハンドル挿通孔１３ａとを有している。
【００２６】
シール部１２は、タンク１の上下方向中間部分において素材を前後から内面同士を密着させ隙間無く接合したもので、ポンプ２の背面側及び両側面を覆うべく平断面視湾曲形状をなすように形成されている。このシール部１２の正面側にはポンプ２において平面視最も外形が大きいボディ６が組み付けられ、背面側には当該ボディ６から液体を吐出させるべく貫通させたポンプ取付穴１２ａが形成されている。このポンプ取付穴１２ａの背面側周囲は素材に凹凸を設け、後述する固定ねじ部材２１の逆転を防止するための逆転防止面１２ｂとしている。このシール部１２のポンプ取付穴１２ａは、後述するポンプ２側の固定部７とともに吐出口６４ｂをシール部１２に固定する吐出口固定機構Ｘを構成する。
【００２７】
ハンドル４は、概略Ｌ字状をなした断面多角形状をなす金属製の棒材であるハンドル本体４１の先端にグリップ４２を装着したものである。このハンドル本体４１の基端はハンドル挿通孔１３ａに回転可能に取り付けられ、使用者が作業中にグリップ４２を前後させるように往復回動することで、ポンプ２に駆動力を付与するためのものである。このハンドル４は、グリップ４２をタンク１の左右何れに位置付けるようにしても使用者が快適に操作し得る。なおタンク１に対するハンドル４の位置を左右変更するときは、それに合わせてグリップ４２の向きも前後逆にすることができる。
【００２８】
ポンプ２は、ハンドル４に付与される外力を利用してダイヤフラム２５を拡縮動作させることによって畜圧容器たるアキュムレータ２６内に液体を加圧した状態で保持し、図示しない噴霧ノズルの弁を開いたときにアキュムレータ２６内の液体が噴霧ノズルへと圧送されるようにした通常のものである。このポンプ２は、タンク１内に位置付けられた吸入ホース２３と、この吸入ホース２３に液取出穴１１ｂを介して接続する導入ホース２４と、導入ホース２４を通った液体を内部に吸入し外部へ圧送すべく拡縮動作するダイヤフラム２５と、このダイヤフラム２５を内蔵し、タンク１側に直接取りつけられるボディ６と、このボディ６の上側に固定されダイヤフラム２５から導入された液体を圧力が付与された状態で保持し得るアキュムレータ２６と、ボディ６をシール部１２に取りつけるべくねじ止めする固定ねじ部材２１と、ボディ６に噴霧用ホース５を取り付けるためのホース取付部２２とを有している。
【００２９】
ボディ６は、液体の導入する液導入部６１と、ダイヤフラム２５を内側へ組み付けるダイヤフラム取付部６２と、上側にアキュムレータ２６を取り付けるアキュムレータ取付部６３と、アキュムレータ２６において加圧された液体を外部へ吐出する吐出部６４と、ハンドル４に付与された外力をダイヤフラム２５を拡縮させる往復動作へと変換する動作変換部６５と、吐出口６４ｂをタンク１に強固に固定するための固定部７とを有している。
【００３０】
液導入部６１には導入用逆止弁６１ａが設けられ、一端ダイヤフラム２５内に導入された液体がタンク１側へ逆流することはない。一方アキュムレータ取付部６３には畜圧用逆止弁６３ａが設けられており、一端ダイヤフラム２５からアキュムレータ２６へ押し出された液体は勿論ダイヤフラム２５に逆流することはない。吐出部６４は、アキュムレータ２６から圧送される液体の通路である吐出路６４ａと、この吐出路６４ａを通った液体を外部へと導く吐出口６４ｂとを有している。
【００３１】
動作変換部６５は、ハンドル４の回転動作をアキュムレータ２６に付与する往復直線動作へと変換するためのもので、ハンドル４を回転可能に組み付ける、例えばハンドル４の断面形状に応じた角穴であるハンドル取付部６５ａと、ボディ６に回転可能に組み付けられハンドル４の回転とともに回転するピニオン６５ｂと、このピニオン６５ｂの回転に伴い上下動を行い得るようボディ６に組み付けられたラック６５ｃと、このラック６５ｃの上端に設けられダイヤフラム２５を下方から圧縮する作動子とを有している。なお本実施形態ではボディ６又は動作変換部６５の何れか又は両方に、ラック６５ｃを下端位置に保持しダイヤフラム２５が圧縮されない初期位置となるよう付勢する既存の付勢機構が設けられているが当該付勢機構の説明は省略する。
【００３２】
固定部７は、吐出部６４近傍の部分をタンク１に固定するためのもので、シール部１２の内面に当接する取付面７１と、ポンプ取付穴１２ａに略隙間無く貫通する貫通部７２と、この貫通部７２の先端側においてポンプ２の背面側へ突出する突出部７３とを有している。この突出部７３には、固定ねじ部材２１をねじ止めするための第一の固定部たる第一雄ねじ面７４と、この第一雄ねじ面７４に隣接し噴霧用ホース５を組み付けるホース取付部２２を取り付けるための第二の固定部たる第二雄ねじ面７５とを有している。本実施形態ではこれら第一雄ねじ面７４、第二雄ねじ面７５を、共に吐出路６４ａを軸心とした軸心周りに形成しつつ、第一雄ねじ面７４の内径よりも第二雄ねじ面７５の外径が小さくなるように設定している。このため、固定ねじ部材２１は第二雄ねじ面７５に触れることなく第一雄ねじ面７４に直接取り付けることができる。
【００３３】
ここで、本実施形態に係る背負式噴霧機Ａは、図６及び図７に特に示すように、ポンプ２が有する液体を外部へ圧送するための吐出口６４ｂをタンク１の一部に固定する吐出口固定機構Ｘを有している。具体的には当該吐出口固定機構Ｘは、タンク１側のシール部１２と、ポンプ２側の上記固定部７及びこの固定部７に組み付けられる固定ねじ部材２１並びにホース取付部２２によって構成される。そして吐出口固定機構Ｘは、ポンプ収容部１４からシール部１２を貫通してタンク１の背面における幅方向中央から吐出口６４ｂを露出させるようにしている。
【００３４】
特に本実施形態では、吐出口固定機構Ｘが、シール部１２をタンク１を構成する素材の厚み方向に挟み込みながらポンプ２を固定するようにして、タンク１とポンプ２との組み付けを強固なものとしている。そして本実施形態では、この吐出口固定機構Ｘによって吐出口６４ｂ近傍が主に固定される、アキュムレータ２６がタンク１の液体貯留部１１に嵌るようにポンプ収容部１４の内側面１４ａが形成されることによって、ポンプ２がタンク１に強固且つ安定して支持されている。
【００３５】
固定ねじ部材２１は、第一雄ねじ面７４にねじ止めされる雌ねじ面２１ａと、正面側を凹凸形状に形成することでシール部１２の逆転防止面１２ｂに係り合って取り外し方向の逆転を防止する逆転禁止面２１ｂとを有している。この逆転防止面１２ｂと逆転禁止面２１ｂとの係り合いにより、一端強固に固定された固定ねじ部材２１は、ボディ６をシール部１２に強固に固定した状態を安定して維持せしめている。
【００３６】
ホース取付部２２は、基端側が吐出口６４ｂの先端側に取り付けられるとともに先端側が噴霧用ホース５の基端に差し込まれるホース取付部材２２ａと、このホース取付部材２２ａ及び噴霧用ホース５の基端を覆いつつ第二雄ねじ面７５にねじ止めされることで噴霧用ホース５を外れ難く固定するホース固定部材２２ｂとを有した通常のものである。
【００３７】
このように吐出口固定機構Ｘにより、タンク１において素材を溶着させ強度を高く構成したシール部１２に対し、加圧された液体を流通させるべく強度を高く構成した吐出口６４ｂ及びその近傍を固定させているので、他の箇所に大がかりな固定機構を設けることなくポンプ２をタンク１に強固に固定せしめている。
【００３８】
以上のような構成とすることにより、本実施形態に係る背負式噴霧機Ａポンプ２において外力が働きやすく、且つ高圧の液体を圧送させるために構造上強度が高く構成された吐出口６４ｂをタンク１に固定することにより、吐出口６４ｂ近傍に加わるポンプ２への外力をタンク１へも有効に分散せしめている。その結果、従来のように吐出口６４ｂ以外の箇所でポンプ２をタンク１に固定する態様のものに比べて安定してポンプ２をタンク１に固定することができる。すなわち本実施形態によれば、簡素な構成でありながらポンプ２をタンク１に確実に固定し得る背負式噴霧機Ａを実現している。
【００３９】
そして、ポンプ２の組み付け強度をより高くしつつポンプ２への外力が当該組み付けに影響してしまうことを有効に回避するために本実施形態では、吐出口固定機構Ｘを、タンク１に取り付けられるための第一雄ねじ面７４と、噴霧用ホース５を固定するための第二雄ねじ面７５とを隣接させて設けている。
【００４０】
また、ポンプ２を安定して支持し得るタンク１側の構成の具体的な態様として本実施形態では、タンク１の形状として液体を貯留する液体貯留部１１と空洞形成部１３との間にシール部１２を設けた形状を適用し、吐出口固定機構Ｘがこの強度を高く構成したシール部１２に吐出口６４ｂを固定するという態様を適用している。
【００４１】
そして、ポンプ２を外方からの衝撃から有効に保護するために本実施形態では、タンク１がポンプ２を収容すべく正面側を凹ませて形成したポンプ収容部１４を設け、出口固定機構が、ポンプ収容部１４からシール部１２を貫通してタンク１の背面から吐出口６４ｂを露出させている態様としている。
【００４２】
さらに有効にポンプ２を保護するために本実施形態では、吐出口６４ｂ以外のポンプ２の背面及び両側面を覆うようにポンプ収容部１４を形成しておき、正面側の略前面をクッション性を有する背当て板３により被覆するようにしている。
【００４３】
特に、ポンプ２をタンク１に強固に固定し得るようにするために本実施形態では、吐出口固定機構Ｘを、シール部１２をタンク１を構成する素材の厚み方向に挟み込みながらポンプ２を固定するようにしている。
【００４４】
また、ポンプ２を強固に固定しつつ強度を高く構成するために本実施形態では、シール部１２が平断面視湾曲形状をなすものとし、シール部１２がポンプ２の背面側及び両側面を覆う形状をなしたものとしている。
【００４５】
さらに本実施形態では、ポンプ２の構成として吐出口６４ｂよりも上方において強度を保持すべく素材重量が嵩むアキュムレータ２６を位置付けてタンク１上側の液体貯留部１１に添設させている。これにより、特に作業中における背負式噴霧機Ａ全体としての重心を上側へ偏位させ、使用者が背負うために要する負担を有効に軽減せしめている。
【００４６】
加えて本実施形態では吐出口６４ｂを、タンク１の巾方向中央に位置付けているので、左右何れの手で噴霧を行っても噴霧用ホース５の取り回しを容易に行い得る。
【００４７】
以上、本発明の実施形態について説明したが、各部の具体的な構成は、上述した実施形態のみに限定されるものではなく、本発明の趣旨を逸脱しない範囲で種々変形が可能である。
【００４８】
例えば、上記実施形態ではポンプに動作変換部を配して人力により液体を圧送する所謂人力式の構成を適用した態様を開示したが勿論、モータ又はエンジンを駆動原としたポンプを適用したものであってもよい。またタンクの具体的な形状やポンプの具体的仕様、さらには本明細書にて図示しなかった噴霧ノズル、ショルダーベルトやウエストベルトの仕様といった詳細な態様は上記実施形態のものに限定されることはなく、既存のものを含め、種々の態様のものを適用することができる。
【００４９】
その他、各部の具体的構成についても上記実施形態に限られるものではなく、本発明の趣旨を逸脱しない範囲で種々変形が可能である。
【産業上の利用可能性】
【００５０】
本発明は農業用途において好適に利用される背負式噴霧機として利用することができる。
【符号の説明】
【００５１】
Ａ…背負式噴霧機
１…タンク
１１…液体貯留部
１２…シール部
１４…ポンプ収容部
２…ポンプ
３…背当て板
６４ｂ…吐出口
７４…第一の固定部（第一雄ねじ面）
７５…第二の固定部（第二雄ねじ面）
Ｘ…吐出口固定機構
【要約】
【課題】簡素な構成でありながらポンプをタンクに確実に固定し得る背負式噴霧機を提供する。
【解決手段】本発明に係る背負式噴霧機は、液体を収容し作業者に背負われるタンクと、このタンクに取り付けられ、前記タンク内に収容されていた前記液体を圧送するポンプと、前記ポンプが有する前記液体を外部へ圧送するための吐出口を前記タンクの一部に固定する吐出口固定機構とを具備し、この吐出口固定機構が、前記タンクに取り付けられるための第一の固定部と、圧送された前記液体を噴霧すべく外部へ送出するための噴霧用ホースを固定するための第二の固定部とを有し、これら第一の固定部と第二の固定部とが隣接して設けられている。
【選択図】図６【図１】
0005986663.tif 000002
【図２】
0005986663.tif 000003
【図３】
0005986663.tif 000004
【図４】
0005986663.tif 000005
【図５】
0005986663.tif 000006
【図６】
0005986663.tif 000007
【図７】
0005986663.tif 000008